(57)【要約】  口腔型電動歯ブラシが開示される。口腔型電動歯ブラシは、上部と下部に開放部を有し、中間が仕切られているマウスピース形状のハウジングが設けられ、前記開放部の上部と下部にはそれぞれ前記ハウジングの内壁に沿って複数の第１シリコン突起が互いに一定の距離をおいて配列される歯ブラシの毛部；前記歯ブラシの毛部を着脱可能な構造であり、振動を前記歯ブラシの毛部に伝達する本体部を含む。歯ブラシの毛部は水分含有パッドを追加的に備えて歯磨き粉の拡散を容易にし消毒効果を得ることができ、シリコン層下部に空気層を備え空気層の空気量を調節して使用者の口腔大きさに対応して大きさ調節が可能である。【選択図】図１
2016537050.tif 000002
【特許請求の範囲】
【請求項１】
上部と下部に開放部を有し、中間が仕切られているマウスピース形状のハウジングが設けられ、前記開放部の上部と下部にはそれぞれ前記ハウジングの内壁に沿って複数の第１シリコン突起が互いに一定の距離をおいて配列される歯ブラシの毛部；
前記歯ブラシの毛部を着脱可能な構造であり、振動を前記歯ブラシの毛部に伝達する本体部を含む口腔型電動歯ブラシ。
【請求項２】
前記歯ブラシの毛部は、前記ハウジングの内部凹部分に舌上部および口がいを洗浄するための舌洗浄部が追加的に形成されることを特徴とする請求項１に記載の口腔型電動歯ブラシ。
【請求項３】
前記舌洗浄部の上部および下部には複数の第２シリコン突起が一定の間隔で形成されることを特徴とする請求項２に記載の口腔型電動歯ブラシ。
【請求項４】
前記ハウジングの奥歯が触れる部分は前記ハウジングの内壁中間部両面に突起が形成され、前歯が触れる部分は前記ハウジングの内壁側面に突起が複数形成されることを特徴とする請求項３に記載の口腔型電動歯ブラシ。
【請求項５】
前記ハウジングは、骨組みがプラスチック材質であり、外皮部分がシリコン材質から形成されることを特徴とする請求項４に記載の口腔型電動歯ブラシ。
【請求項６】
前記第１、第２シリコン突起は、異物が通過するように一定の間隔を有し、洗浄が容易なようにデコボコした表面を形成することを特徴とする請求項１乃至５のうちのいずれか一項に記載の口腔型電動歯ブラシ。
【請求項７】
前記ハウジングには前記本体部との着脱結合のための溝が形成されたことを特徴とする請求項６に記載の口腔型電動歯ブラシ。
【請求項８】
上部と下部に開放部を有し、中間が仕切られているマウスピース形状のハウジングが設けられ、前記開放部の上部と下部にはそれぞれ前記ハウジングの内壁に沿って複数の第１シリコン突起が互いに一定の距離をおいて配列され、前記第１シリコン突起の間に水分を吸収する複数の水分含有パッドを含む歯ブラシの毛部；
前記歯ブラシの毛部を着脱可能な構造であり、振動を前記歯ブラシの毛部に伝達する本体部を含む口腔型電動歯ブラシ。
【請求項９】
前記歯ブラシの毛部は前記マウスピース形状のハウジングに前記第１シリコン突起が形成されるシリコン層が備えられ、前記ハウジングと前記シリコン層の間に空気の注入が可能な空気層が備えられることを特徴とする請求項８に記載の口腔型電動歯ブラシ。
【請求項１０】
前記本体部は、
電源が印加されると振動をするためのモータ部；
前記モータ部の振動を上下に移動しながら振動するようにするクランク軸部を含む請求項９に記載の口腔型電動歯ブラシ。
【請求項１１】
前記歯ブラシの毛部は、前記ハウジングの内部凹部分に舌上部および口がいを洗浄するための舌洗浄部が追加的に形成されることを特徴とする請求項１０に記載の口腔型電動歯ブラシ。
【請求項１２】
前記舌洗浄部の上部および下部には複数の第２シリコン突起が一定の間隔で形成されることを特徴とする請求項１１に記載の口腔型電動歯ブラシ。
【請求項１３】
前記ハウジングの奥歯が触れる部分は前記ハウジングの内壁中間部両面に突起が形成され、前歯が触れる部分は前記ハウジングの内壁側面に突起が複数形成されることを特徴とする請求項１２に記載の口腔型電動歯ブラシ。
【請求項１４】
前記第１、第２シリコン突起は、異物が通過するように一定の間隔を有し、洗浄が容易なようにデコボコした表面を形成することを特徴とする請求項８乃至１３のうちのいずれか一項に記載の口腔型電動歯ブラシ。
【発明の詳細な説明】
【技術分野】
【０００１】
本発明は電動歯ブラシに関するものであって、より詳しくはシリコン材質の歯ブラシの毛を用いる口腔型電動歯ブラシに関するものである。
【背景技術】
【０００２】
一般に、歯磨きは歯ブラシで行い、歯ブラシの種類を見てみると大きく手動歯ブラシと電動式歯ブラシに分けることができる。
【０００３】
手動歯ブラシは、人が手で直接歯ブラシを移動させて歯を磨く。
【０００４】
そして、電動式歯ブラシは、その内部に設置された電動機によって円形ヘッド部分が振動するか回転しながら歯を洗浄するように構成される。
【０００５】
最近は電動式歯ブラシが多く普及されており、特に乳児や障害者の場合は電動歯ブラシが歯を磨くのにさらに有利なことがある。
【０００６】
しかし、従来の電動式歯ブラシは取っ手を握ってある程度動かさなければならないため、把持力と手動作が円滑でない乳児または障害者が使用するのに不便さがあった。
【０００７】
このような短所を克服するために大韓民国公開特許公報２００２−００７１８３４号に歯牙自動洗浄装置が公開されている。
【０００８】
しかし、このような歯牙自動洗浄装置は液体歯磨きと水を供給しなければならないので構造が複雑であり歯ブラシ製造費用も多くかかる。
【発明の概要】
【発明が解決しようとする課題】
【０００９】
したがって、本発明が目的とする技術的課題は、従来の短所を解決したものであって、簡単な構造を有し、少ない費用で製造できる口腔型電動歯ブラシを提供することである。
【００１０】
また、シリコン材質から歯ブラシを構成することによって細菌繁殖がなく殺菌および消毒が容易な口腔型電動歯ブラシを提供することである。
【００１１】
また、歯を磨くのと同時に歯ぐきをマッサージして歯ぐきを健康にする口腔型電動歯ブラシを提供することである。
【００１２】
また、舌と口がいを容易に磨くことができる口腔型電動歯ブラシを提供することである。
【００１３】
また、ハウジングの大きさが小さくてもクランク軸を用いて振動の強さを大きくして使用が便利な口腔型電動歯ブラシを提供することである。
【００１４】
また、水分含有パッドを備えて歯磨き粉の拡散を容易にし、シリコン層下部に空気層を備え空気層の空気量を調節して使用者の口腔大きさに対応して大きさ調節が可能な口腔型電動歯ブラシを提供することである。
【課題を解決するための手段】
【００１５】
上部と下部に開放部を有し、中間が仕切られているマウスピース形状のハウジングが設けられ、前記開放部の上部と下部にはそれぞれ前記ハウジングの内壁に沿って複数の第１シリコン突起が互いに一定の距離をおいて配列される歯ブラシの毛部；
前記歯ブラシの毛部を着脱可能な構造であり、振動を前記歯ブラシの毛部に伝達する本体部を含む。
【００１６】
前記歯ブラシの毛部は、前記ハウジングの内部凹部分に舌上部および口がいを洗浄するための舌洗浄部が追加的に形成されることを特徴とする。
【００１７】
前記舌洗浄部の上部および下部には複数の第２シリコン突起が一定の間隔で形成されることを特徴とする。
【００１８】
前記ハウジングの奥歯が触れる部分は前記ハウジングの内壁中間部両面に突起が形成され、前歯が触れる部分は前記ハウジングの内壁側面に突起が複数形成されることを特徴とする。
【００１９】
前記ハウジングは、骨組みがプラスチック材質であり、外皮部分がシリコン材質から形成されることを特徴とする。
【００２０】
前記第１、第２シリコン突起は、異物が通過するように一定の間隔を有し、洗浄が容易なようにデコボコした表面を形成することを特徴とする。
【００２１】
前記ハウジングには前記本体部との着脱結合のための溝が形成されたことを特徴とする。
【００２２】
このような課題を達成するための本発明の特徴による口腔型電動歯ブラシは、
上部と下部に開放部を有し、中間が仕切られているマウスピース形状のハウジングが設けられ、前記開放部の上部と下部にはそれぞれ前記ハウジングの内壁に沿って複数の第１シリコン突起が互いに一定の距離をおいて配列され、前記第１シリコン突起の間に水分を吸収する複数の水分含有パッドを含む歯ブラシの毛部；
前記歯ブラシの毛部を着脱可能な構造であり、振動を前記歯ブラシの毛部に伝達する本体部を含む。
【００２３】
前記歯ブラシの毛部は前記マウスピース形状のハウジングに前記第１シリコン突起が形成されるシリコン層が備えられ、前記ハウジングと前記シリコン層の間に空気の注入が可能な空気層が備えられることを特徴とする。
【００２４】
前記本体部は、
電源が印加されると振動をするためのモータ部；
前記モータ部の振動を上下に移動しながら振動するようにするクランク軸部を含む。
【００２５】
前記歯ブラシの毛部は、前記ハウジングの内部凹部分に舌上部および口がいを洗浄するための舌洗浄部が追加的に形成されることを特徴とする。
【００２６】
前記舌洗浄部の上部および下部には複数の第２シリコン突起が一定の間隔で形成されることを特徴とする。
【００２７】
前記ハウジングの奥歯が触れる部分は前記ハウジングの内壁中間部両面に突起が形成され、前歯が触れる部分は前記ハウジングの内壁側面に突起が複数形成されることを特徴とする。
【００２８】
前記第１、第２シリコン突起は異物が通過するように一定の間隔を有し、洗浄が容易なようにデコボコした表面を形成することを特徴とする。
【発明の効果】
【００２９】
本発明の実施形態では、簡単な構造を有し、少ない費用で製造できる口腔型電動歯ブラシを提供することができる。
【００３０】
また、ハウジングの大きさが小さくてもクランク軸を用いて振動の強さを大きくして使用が便利な口腔型電動歯ブラシを提供することができる。
【００３１】
また、水分含有パッドを備えて歯磨き粉の拡散を容易にし、シリコン層下部に空気層を備え空気層の空気量を調節して使用者の口腔大きさに対応して大きさ調節が可能な口腔型電動歯ブラシを提供することができる。
【００３２】
また、シリコン材質から歯ブラシの毛を構成することによって細菌繁殖がなく殺菌および消毒が容易な口腔型電動歯ブラシを提供することができる。
【００３３】
また、歯を磨くのと同時に歯ぐきをマッサージして歯ぐきを健康にする口腔型電動歯ブラシを提供することができる。
【００３４】
また、舌と口がいを容易に磨くことができる口腔型電動歯ブラシを提供することができる。
【図面の簡単な説明】
【００３５】
【図１】本発明の実施形態による口腔型電動歯ブラシの構成図である。
【図２】本発明の実施形態による口腔型電動歯ブラシの歯ブラシの毛部を示した図である。
【図３】図２のＡ−Ａ'を切開した断面図である。
【図４】本発明の他の実施形態による口腔型電動歯ブラシの場合の図２のＡ−Ａ'を切開した断面図である。
【図５】本発明の実施形態による口腔型電動歯ブラシのハウジングを詳しく示した図である。
【図６】本発明の実施形態による口腔型電動歯ブラシの突起を示した図である。
【図７】本発明の実施形態による口腔型電動歯ブラシの本体部の内部ブロック構成を示した図である。
【発明を実施するための形態】
【００３６】
以下、添付した図面を参考として本発明の実施形態について本発明の属する技術分野における通常の知識を有する者が容易に実施できるように詳しく説明する。しかし、本発明は様々の形態に実現でき、ここで説明する実施形態に限定されない。そして図面において本発明を明確に説明するために説明上不必要な部分は省略し、明細書全体にわたって類似の部分については類似の図面符号を付けた。
【００３７】
明細書全体で、ある部分がある構成要素を“含む”という時、これは特に反対になる記載がない限り他の構成要素を除くのではなく他の構成要素をさらに含むことができるのを意味する。また、明細書に記載された“…部”、“…機”、“モジュール”などの用語は少なくとも一つの機能や動作を処理する単位を意味し、これはハードウェアやソフトウェアまたはハードウェアおよびソフトウェアの結合で実現できる。
【００３８】
図１は本発明の実施形態による口腔型電動歯ブラシの構成図であり、図２は本発明の実施形態による口腔型電動歯ブラシの歯ブラシの毛部を示した図であり、図３は図２のＡ−Ａ'を切開した断面図であり、図４は本発明の他の実施形態による口腔型電動歯ブラシの場合の図２のＡ−Ａ'を切開した断面図であり、図５は本発明の実施形態による口腔型電動歯ブラシのハウジングを詳しく示した図であり、図６は本発明の実施形態による口腔型電動歯ブラシの突起を示した図であり、図７は本発明の実施形態による口腔型電動歯ブラシの本体部の内部ブロック構成を示した図である。
【００３９】
図１乃至図７を参照すれば、本発明の実施形態による口腔型電動歯ブラシは、歯ブラシの毛部１００と本体部２００を含む。
【００４０】
歯ブラシの毛部１００は上部と下部に開放部を有し、中間が仕切られているマウスピース形状のハウジング１１０が設けられ、前記上部と下部の開放部にはそれぞれ前記ハウジングの内壁に沿って複数の第１シリコン突起１２０が互いに一定の距離をおいて配列される。
【００４１】
前記歯ブラシの毛部１００は、前記第１シリコン突起１２０の間に水分を吸収する複数の水分含有パッド１５０を含む。この場合、歯磨き粉の拡散が容易であり、シリコン層の上に親水性コーティングまたは水分含有パッドを付着し、消毒液に浸漬しておいた後に使用する場合、口腔消毒効果まである。
【００４２】
前記歯ブラシの毛部１００は、前記ハウジング１１０の内部凹部分に舌上部および口がいを洗浄するための舌洗浄部１３０が追加的に形成されることを特徴とする。
【００４３】
前記舌洗浄部１３０の上部および下部には複数の第２シリコン突起１８０が一定の間隔で形成される。前記ハウジング１１０の奥歯が触れる部分は前記ハウジング１１０の内壁中間部両面に突起が形成され、前歯が触れる部分は前記ハウジング１１０の内壁側面に突起が複数形成される。
【００４４】
前記ハウジング１１０は、骨組みがプラスチック材質であり、外皮部分がシリコン材質から形成される。したがって、マウスピース形態の保持が容易であり、歯ぐきやこれと触れる部分はシリコンであるので柔らかい。
【００４５】
前記第１、第２シリコン突起１２０、１８０は異物が通過するように一定の間隔を有し、洗浄が容易なようにデコボコした表面を形成し、必要によっては多様な形態が可能である。
【００４６】
前記ハウジング１１０には前記本体部との着脱結合のための溝が形成される。
【００４７】
図４を参照すれば、本発明の他の実施形態として、前記歯ブラシの毛部１００は前記マウスピース形状のハウジングに前記第１シリコン突起が形成されるシリコン層が備えられ、前記ハウジングと前記シリコン層の間に空気の注入が可能な空気層１６０を備えることができる。
【００４８】
このようにシリコン層下部に空気層１６０を備え、空気層の空気量を調節して使用者の口腔大きさに対応して大きさ調節が可能である。
【００４９】
そして、必要によって水分含有パッド１５０と空気層１６０は同時適用が可能である。
【００５０】
本体部２００は、前記歯ブラシの毛部１００を着脱可能な構造であり、振動を前記歯ブラシの毛部に伝達する。本体部２００と歯ブラシの毛部１００の着脱は溝１７０を用いて可能であり、このような構造は多様に変形可能である。
【００５１】
本体部２００は、モータ部２１０、電源部２２０、制御部２３０、表示部２４０、スイッチ部２５０、クランク軸部２６０を含む。
【００５２】
スイッチ部２５０は電源供給または振動の強さなどを選択される。制御部２３０はスイッチ部２５０の選択に対応して電源部２２０を制御しモータ部１２１を駆動する。電源部２２０はバッテリーを内蔵し、制御部２３０の制御によって電源を供給する。モータ部２１０は振動モータであって、電源が供給されると振動を発生する。
【００５３】
クランク軸部２６０は、前記モータ部２１０の振動を上下に移動しながら振動するようにする。必要によってスイッチ部２５０を選択してクランク軸部２６０の動作の有無を選択することもできる。
【００５４】
表示部２４０は、動作状態や振動の強さなどを表示することができる。このような本体部２００の構成は多様に変形が可能である。
【００５５】
以下、このような構成を有する本発明の実施形態による口腔型電動歯ブラシの動作について説明する。
【００５６】
歯ブラシの毛部１００を消毒液に浸漬した後、使用時には本体部２００と結合をする。
【００５７】
この場合、水分含有パッド１５０が消毒液を吸収しているので、歯磨き粉の拡散が容易であり、消毒液が口の中に広がって口腔の消毒が可能である。
【００５８】
その次に、児童や障害者またはその他の電動歯ブラシ使用者は電源を印加し、歯ブラシの毛部１００を口の中に挿入し口を閉じる。
【００５９】
そうすると、ハウジング１１０の上部および下部の開放部の中に使用者の上歯および下歯を含む歯牙が挿入される。即ち、ハウジング１１０の両側には奥歯が位置し、ハウジングの中間には前歯が位置する。そして、使用者の歯牙、舌、口がいおよび歯ぐき部位が第１、第２シリコン突起１２０、１８０に接触するようになる。
【００６０】
この状態でスイッチ部２５０の作動ボタンを押すと、制御部２３０はスイッチ部２５０の選択に対応して電源部２２０を制御してモータ部１２１を駆動する。
【００６１】
その次に、モータ部２１０は振動モータであって、電源が供給されると振動を発生し、振動はクランク軸部２６０を通じて歯ブラシの毛部１００に伝達される。この時、クランク軸部２６０は選択的に動作が可能である。
【００６２】
そうすると、歯ブラシの毛部１００のハウジング１１０が震えながら第１、第２シリコン突起１２０、１８０が振動するようになる。
【００６３】
第１、第２シリコン突起１２０、１８０が振動すると、使用者の歯牙、舌、口がいおよび歯ぐき部位を洗浄するようになる。
【００６４】
この時、異物は第１、第２シリコン突起１２０、１８０の間の空間に落ちるようになる。
【００６５】
このような過程によって使用者の歯牙、舌、口がいおよび歯ぐき部位が洗浄される。
【００６６】
したがって、使用者は本体部２００を把持する動作によって容易に歯牙、舌、口がいおよび歯ぐき部位を洗浄することができる。
【００６７】
ここで、クランク軸部２６０によって振動が向上するので歯ブラシの毛部１００を軽量化しても洗浄効果は優れている。
【００６８】
また、水分含有パッドを備えて歯磨き粉の拡散を容易にし、シリコン層下部に空気層を備え空気層の空気量を調節して使用者の口腔大きさに対応して大きさ調節が可能な口腔型電動歯ブラシを提供することができる。
【００６９】
また、シリコン材質から歯ブラシの毛を構成することによって細菌繁殖がなく殺菌および消毒が容易である。
【００７０】
また、歯を磨くのと同時に歯ぐきをマッサージして歯ぐきを健康にすることができる。
【産業上の利用可能性】
【００７１】
以上、本発明に関する好ましい実施形態を説明したが、本発明は前記実施形態に限定されず、本発明の実施形態から当該発明の属する技術分野における通常の知識を有する者による容易に変更されて均等であると認められる範囲の全ての変更を含む。
【図１】
2016537050.tif 000003
【図２】
2016537050.tif 000004
【図３】
2016537050.tif 000005
【図４】
2016537050.tif 000006
【図５】
2016537050.tif 000007
【図６】
2016537050.tif 000008
【図７】
2016537050.tif 000009
【国際調査報告】
2016537050.tif 000010
2016537050.tif 000011
2016537050.tif 000012
2016537050.tif 000013